(57)【特許請求の範囲】
【請求項１】
画像を表示する表示部と当該表示部上に配設されたタッチパネルとを備えた画像表示装置であって、
外部端末装置の近接、あるいは接触を検出する検出手段と、
前記検出手段により前記外部端末装置の近接、あるいは接触を検出した際に、該外部端末装置が表示している画像を取得する画像取得手段と、
前記検出手段により前記外部端末装置の近接、あるいは接触を検出した際に、前記外部端末装置の近接、あるいは接触とは独立して前記タッチパネルに対して行われたユーザによるタッチ操作に基づいて、当該画像表示装置に対する前記外部端末装置が備える表示部に表示されている画像の位置、範囲、あるいは方向を取得する位置取得手段と、
前記画像取得手段により取得された画像を、前記位置取得手段により取得された位置、範囲、あるいは方向に基づいて、当該画像表示装置が備える前記表示部に表示させる表示制御手段と
を備えることを特徴とする画像表示装置。
【請求項２】
前記位置取得手段は、前記タッチパネルに対して行われたユーザによる複数位置へのタッチ操作に基づいて、当該画像表示装置に対する前記外部端末装置が備える表示部に表示されている画像の位置、範囲、及び方向を取得することを特徴とする請求項１に記載の画像表示装置。
【請求項３】
前記表示制御手段は、前記画像取得手段により取得された画像を、前記位置取得手段により取得された位置、範囲、あるいは方向に対応する位置、範囲あるいは方向で、当該画像表示装置が備える前記表示部に既に表示されている画像と結合して表示させることを特徴とする請求項１に記載の画像表示装置。
【請求項４】
画像を表示する表示部と当該表示部上に配設された照度センサとを備えた画像表示装置であって、
外部端末装置の近接、あるいは接触を検出する検出手段と、
前記検出手段により前記外部端末装置の近接、あるいは接触を検出した際に、該外部端末装置が表示している画像を取得する画像取得手段と、
前記検出手段により前記外部端末装置の近接、あるいは接触を検出した際に、前記表示部上に配設された照度センサにより当該画像表示装置に対する前記外部端末装置が備える表示部に表示されている画像の位置と、範囲あるいは方向とを取得する位置取得手段と、
前記画像取得手段により取得された画像を、前記位置取得手段により取得された位置と、範囲あるいは方向とに基づいて、当該画像表示装置が備える前記表示部に表示させる表示制御手段と
を備えることを特徴とする画像表示装置。
【請求項５】
前記表示制御手段は、前記画像取得手段により取得された画像を、前記位置取得手段により取得された位置と、範囲あるいは方向とに対応する位置と、範囲あるいは方向とで、当該画像表示装置が備える前記表示部に既に表示されている画像と結合して表示させることを特徴とする請求項４に記載の画像表示装置。
【請求項６】
前記検出手段により前記外部端末装置の近接、あるいは接触が検出された際に、前記外部端末装置が備える表示部に画像が表示されているか否かを判別する判別手段を更に備え、
前記画像取得手段は、前記判別手段により画像が表示されていると判別されていることを条件に、前記外部端末装置が備える前記表示部に表示されている画像を取得することを特徴とする請求項１乃至５のいずれかに記載の画像表示装置。
【請求項７】
前記表示制御手段により当該画像表示装置が備える前記表示部に表示された前記外部端末装置からの画像を、当該画像表示装置が備える前記表示部に表示されている表示内容と結合して記録保存する記録保存手段を更に備えることを特徴とする請求項１乃至６のいずれかに記載の画像表示装置。
【請求項８】
前記検出手段により近接、あるいは接触が検出された外部端末装置から識別情報を取得する識別情報取得手段を更に備え、
前記表示制御手段は、前記識別情報取得手段により取得された識別情報に基づいて、前記画像取得手段により取得された画像の当該画像表示装置が備える前記表示部への表示を制御することを特徴とする請求項１乃至６のいずれかに記載の画像表示装置。
【請求項９】
当該画像表示装置が備える前記表示部は、前記外部端末装置が備える前記表示部よりも面積が広いことを特徴とする請求項１乃至６のいずれかに記載の画像表示装置。
【請求項１０】
画像を表示する表示部と当該表示部上に配設されたタッチパネルとを備えた画像表示装置における画像表示方法であって、
外部端末装置の近接、あるいは接触を検出する検出処理と、
前記検出処理により前記外部端末装置の近接、あるいは接触を検出した際に、該外部端末装置が表示している画像を取得する画像取得処理と、
前記検出処理により前記外部端末装置の近接、あるいは接触を検出した際に、前記外部端末装置の近接、あるいは接触とは独立して前記タッチパネルに対して行われたユーザによるタッチ操作に基づいて、当該画像表示装置に対する前記外部端末装置が備える表示部に表示されている画像の位置、範囲、あるいは方向を取得する位置取得処理と、
前記画像取得処理により取得された画像を、前記位置取得処理により取得された位置、範囲、あるいは方向に基づいて、当該画像表示装置が備える前記表示部に表示させる表示制御処理と
を含むことを特徴とする画像表示方法。
【請求項１１】
画像を表示する表示部と当該表示部上に配設されたタッチパネルとを備えた画像表示装置のコンピュータに、
外部端末装置の近接、あるいは接触を検出する検出機能、
前記検出機能により前記外部端末装置の近接、あるいは接触を検出した際に、前記外部端末装置に表示されている画像を取得する画像取得機能、
前記検出機能により前記外部端末装置の近接、あるいは接触を検出した際に、前記外部端末装置の近接、あるいは接触とは独立して前記タッチパネルに対して行われたユーザによるタッチ操作に基づいて、当該画像表示装置に対する前記外部端末装置が備える表示部に表示されている画像の位置、範囲、あるいは方向を取得する位置取得機能、
前記画像取得機能により取得された画像を、前記位置取得機能により取得された位置、範囲、あるいは方向に基づいて、当該画像表示装置が備える前記表示部に表示させる表示制御機能
を実行させることを特徴とするプログラム。
【請求項１２】
画像を表示する表示部と当該表示部上に配設された照度センサとを備えた画像表示装置における画像表示方法であって、
外部端末装置の近接、あるいは接触を検出する検出処理と、
前記検出処理により前記外部端末装置の近接、あるいは接触を検出した際に、該外部端末装置が表示している画像を取得する画像取得処理と、
前記検出処理により前記外部端末装置の近接、あるいは接触を検出した際に、前記表示部上に配設された照度センサにより当該画像表示装置に対する前記外部端末装置が備える表示部に表示されている画像の位置と、範囲あるいは方向とを取得する位置取得処理と、
前記画像取得処理により取得された画像を、前記位置取得処理により取得された位置と、範囲あるいは方向とに基づいて、当該画像表示装置が備える前記表示部に表示させる表示制御処理と
を含むことを特徴とする画像表示方法。
【請求項１３】
画像を表示する表示部と当該表示部上に配設された照度センサとを備えた画像表示装置のコンピュータに、
外部端末装置の近接、あるいは接触を検出する検出機能、
前記検出機能により前記外部端末装置の近接、あるいは接触を検出した際に、前記外部端末装置に表示されている画像を取得する画像取得機能、
前記検出機能により前記外部端末装置の近接、あるいは接触を検出した際に、前記表示部上に配設された照度センサにより当該画像表示装置に対する前記外部端末装置が備える表示部に表示されている画像の位置と、範囲あるいは方向とを取得する位置取得機能、
前記画像取得機能により取得された画像を、前記位置取得機能により取得された位置と、範囲あるいは方向とに基づいて、当該画像表示装置が備える前記表示部に表示させる表示制御機能
を実行させることを特徴とするプログラム。
【発明の詳細な説明】
【技術分野】
【０００１】
本発明は、画像表示装置、画像表示方法、及びプログラムに関する。
【背景技術】
【０００２】
従来より、画像表示が可能な端末間において、近接無線通信方式を利用して、双方のアンテナを接触させるように、一方の端末を他方の端末にかざすタッチ操作を行うだけで、画像を容易に転送する技術が知られている（例えば特許文献１参照）。
【先行技術文献】
【特許文献】
【０００３】
【特許文献１】特開２０１１−１３８５６号公報
【発明の概要】
【発明が解決しようとする課題】
【０００４】
しかしながら、上記従来技術では、単に双方の端末間でのデータ通信を可能にするだけであり、転送した画像を転送先の表示上の所望する位置、範囲や方向に表示させようとすると、転送後に別の編集操作が必要となり、操作が煩雑になるという問題があった。
【０００５】
そこで本発明は、転送元の外部端末装置からの画像を、転送先の画像表示装置の表示上の所望する位置、範囲、あるいは方向に表示させることができ、利便性を向上させることができる画像表示装置、画像表示方法、及びプログラムを提供することを目的とする。
【課題を解決するための手段】
【０００６】
この発明は、画像を表示する表示部と当該表示部上に配設されたタッチパネルとを備えた画像表示装置であって、外部端末装置の近接、あるいは接触を検出する検出手段と、前記検出手段により前記外部端末装置の近接、あるいは接触を検出した際に、該外部端末装置が表示している画像を取得する画像取得手段と、前記検出手段により前記外部端末装置の近接、あるいは接触を検出した際に、前記外部端末装置の近接、あるいは接触とは独立して前記タッチパネルに対して行われたユーザによるタッチ操作に基づいて、当該画像表示装置に対する前記外部端末装置が備える表示部に表示されている画像の位置、範囲、あるいは方向を取得する位置取得手段と、前記画像取得手段により取得された画像を、前記位置取得手段により取得された位置、範囲、あるいは方向に基づいて、当該画像表示装置が備える前記表示部に表示させる表示制御手段とを備えることを特徴とする画像表示装置である。
【発明の効果】
【０００７】
この発明によれば、転送元の外部端末装置からの画像を、転送先の画像表示装置の表示上の所望する位置、範囲、あるいは方向に表示させることができ、利便性を向上させることができるという利点が得られる。
【図面の簡単な説明】
【０００８】
【図１】本発明の実施形態による画像表示システムを構成する画像表示装置１と外部端末装置１０との構成を示すブロック図である。
【図２】本第１実施形態による画像表示装置１の識別情報テーブル７１のデータ構成を示す概念図である。
【図３】本第１実施形態による画像表示システムでの画像転送時における位置、範囲、方向の取得方法を説明するための概念図である。
【図４】本第１実施形態による画像表示装置１の動作（メインルーチン）を説明するためのフローチャートである。
【図５】本第１実施形態による画像表示装置１側の近接検出処理（ステップＳ１０）の動作を説明するためのフローチャートである。
【図６】本第１実施形態による外部端末装置１０の動作を説明するためのフローチャートである。
【図７】本第１実施形態での一連の動作を説明するための概念図である。
【図８】本第２実施形態による画像表示システムを構成する画像表示装置１と外部端末装置１０との構成を示すブロック図である。
【図９】本第２実施形態による画像表示装置１の近接検出処理の動作を説明するためのフローチャートである。
【図１０】本第２実施形態による一連の動作を説明するための概念図である。
【図１１】本第３実施形態による画像表示システムを構成する画像表示装置１と外部端末装置１０との構成を示すブロック図である。
【図１２】本第３実施形態による画像表示装置１の近接検出処理の動作を説明するためのフローチャートである。
【図１３】本第３実施形態による一連の動作を説明するための概念図である。
【図１４】、本第４実施形態による画像表示装置１の動作を説明するためのフローチャートである。
【図１５】本第４実施形態による外部端末装置１０の動作を説明するためのフローチャートである。
【発明を実施するための形態】
【０００９】
本発明は、タッチパネル（静電容量方式）を備えた外部端末装置（デジタルカメラ、携帯電話等）に画像を表示させて、タッチパネル（静電容量方式）を備えた画像表示装置（フォトフレーム、ＰＣ、テレビ等）にタッチパネル同士をスタンプ感覚で近接、あるいは接触させることで、画像表示装置は、外部端末装置が表示している画像を受信し、外部端末装置が近接、あるいは接触した位置、範囲、あるいは方向を、画像表示装置のタッチパネルで検出して、検出結果に応じて受信した画像を表示させることを特徴とする。
【００１０】
以下、本発明の実施の形態を、図面を参照して説明する。
【００１１】
Ａ．第１実施形態
Ａ−１．第１実施形態の構成
図１（ａ）、（ｂ）は、本発明の実施形態による画像表示システムを構成する画像表示装置１と外部端末装置１０との構成を示すブロック図である。図１において、画像表示システムは、図１（ａ）の画像の転送先である画像表示装置１と、図１（ｂ）の画像の転送元である外部端末装置１０とからなる。
【００１２】
画像表示装置１は、フォトフレームや、ＰＣ、タブレット端末などの画像再生機能を有する電子機器である。画像表示装置１は、制御部２、操作部３、近距離無線通信部４、電源部５、タッチ表示部（タッチパネル６１、表示パネル６２）６、記憶部（識別情報テーブル７１）７を備えている。制御部２は、画像表示装置１の各部を制御するワンチップマイコンである。特に、本実施形態では、制御部２は、外部端末装置１０の近接、あるいは接触判定、画像の受信制御、画像の表示制御などを行うようになっている。
【００１３】
操作部３は、電源ボタン等の複数の操作キーを含み、ユーザのキー操作に応じた操作信号を制御部２に出力する。近距離無線通信部４は、数センチ〜数十センチの距離での小電力無線通信技術を用いて、近接、あるいは接触した外部端末装置１０との間でデータの送受信を行う。電源部５は、例えば、二次電池からなり、各部に電力を供給する。
【００１４】
タッチ表示部６は、タッチパネル６１と表示パネル６２とを備えている。表示パネル６２は、カラーＬＣＤや有機ＥＬ（Electro Luminescence）ディスプレイ、バックライトなどとその駆動回路とを含み、各種データや、外部端末装置１０から受信した画像や、動画を表示する。
【００１５】
タッチパネル６１は、表示パネル６２上に設けられた透過型のタッチセンサであり、タッチ位置と表示パネル６２上の位置（座標）とが対応付けられており、画像再生時に、表示パネル６２に表示された画像をタッチ操作することで、表示された画像の大きさを変えたり、画像の移動、回転などを行うために用いられる。また、本実施形態では、タッチパネル６１を静電容量方式とすることで、外部端末装置１０の近接、あるいは接触を検出することができるようになっている。また、外部端末装置１０の近接、あるいは接触を検出した際に、当該画像表示装置１に対する、外部端末装置１０（の表示パネル１６２に表示されている画像）の位置、範囲、あるいは方向を検出するようにもなっている。
【００１６】
記憶部７は、撮像された画像や、動画を記憶するメモリや、制御部２による、画像表示装置１の各部の制御に必要なプログラム、及び各部の制御に必要なデータを保持するメモリなどからなる。特に、本実施形態では、記憶部７は、外部端末装置１０から受信した画像を自身の表示パネル６２に表示する際の表示制御内容を示す識別情報と、その表示制御内容とを対応付けて記憶する識別情報テーブル７１を備えている。どのような表示制御を行うかを示す識別情報は、外部端末装置１０から送信される。
【００１７】
図２は、本第１実施形態による画像表示装置１の識別情報テーブル７１のデータ構成を示す概念図である。識別情報テーブル７１は、転送する画像に対する表示制御とその表示制御を区別するための識別情報とからなる。例えば、識別情報「ａａａ」は、画像に額縁（フレーム）を付ける表示制御を示し、識別情報「ｂｂｂ」は、画像に対して肌をより美しく見せるための美肌処理を行う表示制御を示し、識別情報「ｃｃｃ」は、画像に対して影を付ける表示制御を示す。本第１実施形態では、識別情報は、画像の転送元である外部端末装置１０から画像の転送先である画像表示装置１へ送信される。識別情報を受信した画像表示装置１は、識別情報に応じた表示制御を行って画像を表示する。
【００１８】
図１（ｂ）に説明を戻すと、外部端末装置１０は、携帯電話、スマートフォン、ＰＤＡ、デジタルカメラ、タブレット端末などの電子機器である。外部端末装置１０は、制御部１１、操作部１２、撮像部１３、近距離無線通信部１４、電源部１５、タッチ表示部（タッチパネル１６１、表示パネル１６２）１６、記憶部１７を備えている。制御部１１は、外部端末装置１０の各部を制御するワンチップマイコンである。特に、本第１実施形態では、制御部１１は、画像表示装置１への識別情報、画像表示有無情報、画像の送信制御などを行うようになっている。
【００１９】
操作部１２は、電源ボタン等の複数の操作キーを含み、ユーザのキー操作に応じた操作信号を制御部１１に出力する。撮像部１３は、フォーカスレンズ、ズームレンズ、撮像素子などを含み、被写体像を撮像素子上に結像し、投影された被写体の光を電気信号に変換して出力する。近距離無線通信部１４は、数センチ〜数十センチの距離での小電力無線通信技術を用いて、近接、または接触した画像表示装置１との間でデータの送受信を行う。電源部１５は、例えば、二次電池からなり、各部に電力を供給する。
【００２０】
タッチ表示部１６は、タッチパネル１６１と表示パネル１６２とを備えている。表示パネル１６２は、カラーＬＣＤや有機ＥＬ（Electro Luminescence）ディスプレイ、バックライトなどとその駆動回路とを含み、各種データや、撮像部１３によって撮像された画像や、動画を表示する。
【００２１】
タッチパネル１６１は、表示パネル１６２上に設けられた透過型のタッチセンサであり、タッチ位置と表示パネル１６２上の位置（座標）とが対応付けられており、画像再生時に、表示パネル１６２に表示された画像をタッチ操作することで、表示された画像の大きさを変えたり、画像の移動、回転などを行うために用いられる。また、後述する第４実施形態では、タッチパネル１６１を静電容量方式とすることで、画像表示装置１に近接、または接触したことを検出することができるようになっている。
【００２２】
記憶部１７は、撮像された画像や、動画を記憶するメモリや、制御部１１による、当該外部端末装置１０の各部の制御に必要なプログラム、及び各部の制御に必要なデータを保持するメモリなどからなる。
【００２３】
なお、画像表示装置１の備える表示パネル６２は、外部端末装置１０の備える表示パネル１６２よりも面積が広い。このため、画像表示装置１の表示パネル６２の好きな位置、範囲、あるいは方向に外部端末装置１で表示している画像を表示させることができる。
【００２４】
図３は、本第１実施形態による画像表示システムでの画像転送時における位置、範囲、方向の取得方法を説明するための概念図である。本第１実施形態では、画像が表示されている外部端末装置１０のタッチ表示部１６を、画像表示装置１のタッチ表示部６の前面に向き合うように近接、あるいは接触させる。画像表示装置１は、このときの外部端末装置１０の位置、範囲、方向を、タッチパネル６１によって取得し、外部端末装置１０から受信した画像を、取得した位置、範囲、方向、並びに識別情報に従って自身の表示パネル６２に表示するようになっている。
【００２５】
Ａ−２．第１実施形態の動作
図４は、本第１実施形態による画像表示装置１の動作（メインルーチン）を説明するためのフローチャートである。画像表示装置１では、まず、外部端末装置１０が近接（または接触）したことを検出する近接検出処理を実行する（ステップＳ１０）。該近接検出処理では、外部端末装置１０から識別情報を受信するとともに、タッチパネル６１上での外部端末装置１０の座標を取得する。なお、該近接検出処理の詳細については後述する。
【００２６】
次に、外部端末装置１０から画像を受信したか否かを判断し（ステップＳ１２）、画像を受信した場合には（ステップＳ１２のＹＥＳ）、受信した画像を、上記近接検出処理で取得した、タッチパネル６１上での外部端末装置１０の座標に基づいて、表示パネル６２に表示する（ステップＳ１４）。次に、識別情報テーブル７１を参照し（ステップＳ１６）、上記近接検出処理で取得した識別情報があるか否かを判断する（ステップＳ１８）。
【００２７】
そして、該当する識別情報がある場合には（ステップＳ１８のＹＥＳ）、識別情報に応じた表示制御を行う（ステップＳ２０）。例えば、識別情報が「ａａａ」であるならば、画像に額縁（フレーム）を付け、識別情報が「ｂｂｂ」であるならば、美肌処理を実行し、識別情報が「ｃｃｃ」であるならば、画像に対して影を付ける。その後、ステップＳ１０に戻る。また、該当する識別情報がない場合には（ステップＳ１８のＮＯ）、何もせずにそのままステップＳ１０に戻る。
【００２８】
一方、外部端末装置１０から画像を受信していない場合には（ステップＳ１２のＮＯ）、保存操作が行われたか否かを判断する（ステップＳ２２）。そして、保存操作が行われた場合には（ステップＳ２２のＹＥＳ）、受信画像があるか否かを判断する（ステップＳ２４）。そして、受信画像がある場合には（ステップＳ２４のＹＥＳ）、表示パネル６２に既に表示している画像と受信画像とを結合し（ステップＳ２６）、記憶部７に保存する画像保存処理を実行し（ステップＳ２８）、ステップＳ１０に戻る。一方、受信画像がない場合には（ステップＳ２４のＮＯ）、受信画像を結合することなく、表示パネル６２に既に表示している画像を記憶部７に保存する画像保存処理を実行し（ステップＳ２８）、ステップＳ１０に戻る。
【００２９】
一方、保存操作がない場合には（ステップＳ２２のＮＯ）、画像選択、スライドショー等のその他の操作があったか否かを判断し（ステップＳ３０）、その他の操作があった場合には（ステップＳ３０のＹＥＳ）、操作に応じた処理を実行し（ステップＳ３２）、ステップＳ１０に戻る。また、その他の操作もない場合には（ステップＳ３０のＮＯ）、何もせずに、ステップＳ１０に戻る。
【００３０】
図５は、本第１実施形態による画像表示装置１側の近接検出処理（ステップＳ１０）の動作を説明するためのフローチャートである。近接検出処理では、まず、タッチパネル６１で外部端末装置１０のタッチパネル１６１の近接（接触）を検出したか否かを判断する（ステップＳ４０）。そして、外部端末装置１０の近接（接触）が検出されない場合には（ステップＳ４０のＮＯ）、そのまま何もせずに上述したメインルーチンに戻る。
【００３１】
一方、外部端末装置１０の近接（接触）が検出された場合には（ステップＳ４０のＹＥＳ）、近距離無線通信部４により、外部端末装置１０に識別情報、及び画像表示有無情報転送指示を送信する（ステップＳ４２）。次に、外部端末装置１０から識別情報、及び画像表示ありを受信したか否かを判断し（ステップＳ４４）、外部端末装置１０から識別情報、画像表示ありを受信しない場合には（ステップＳ４４のＮＯ）、そのまま何もせずに上述したメインルーチンに戻る。
【００３２】
一方、外部端末装置１０から識別情報、画像表示ありを受信した場合には（ステップＳ４４のＹＥＳ）、近距離無線通信部４により、外部端末装置１０に表示画像転送指示を送信する（ステップＳ４６）。次に、タッチパネル６１で外部端末装置１０のタッチパネル１６１が近接（接触）している座標を取得し（ステップＳ４８）、メインルーチンに戻る。
【００３３】
図６は、本第１実施形態による外部端末装置１０の動作を説明するためのフローチャートである。外部端末装置１０では、まず、画像表示装置１から識別情報、及び画像表示有無情報転送指示を受信したか否かを判断する（ステップＳ５０）。そして、画像表示装置１から識別情報、及び画像表示有無情報転送指示を受信した場合には（ステップＳ５０のＹＥＳ）、画像表示装置１に識別情報、及び画像表示有無情報を送信する（ステップＳ５２）。
【００３４】
次に、画像表示装置１から表示画像転送指示を受信したか否かを判断し（ステップＳ５４）、表示画像転送指示を受信していない場合には（ステップＳ５４のＮＯ）、ステップＳ５０に戻る。一方、画像表示装置１から表示画像転送指示を受信した場合には（ステップＳ５４のＹＥＳ）、画像表示装置１に表示中の画像を表示し（ステップＳ５６）、ステップＳ５０に戻る。
【００３５】
また、画像表示装置１から識別情報、及び画像表示有無情報の転送指示を受信していない場合には（ステップＳ５０のＮＯ）、ユーザによる画像表示操作があったか否かを判断する（ステップＳ５８）。そして、ユーザによる画像表示操作があった場合には（ステップＳ５８のＹＥＳ）、選択された画像を表示パネル１６２に表示する（ステップＳ６０）。その後、ステップＳ５０に戻る。
【００３６】
また、画像表示操作がなかった場合には（ステップＳ５８のＮＯ）、ユーザによる画像撮影操作があったか否かを判断する（ステップＳ６２）。そして、ユーザによる画像撮影操作があった場合には（ステップＳ６２のＹＥＳ）、撮像部１３により画像を撮影する画像撮影処理を実行し（ステップＳ６４）、撮影した画像を記憶部１７に保存する（ステップＳ６６）。その後、ステップＳ５０に戻る。
【００３７】
さらに、ユーザによる画像撮影操作がなかった場合には（ステップＳ６２のＮＯ）、スライドショー等のその他の操作があったか否かを判断する（ステップＳ６８）。そして、その他の操作があった場合には（ステップＳ６８のＹＥＳ）、操作に応じた処理を実行し（ステップＳ７０）、ステップＳ５０に戻る。一方、その他の操作もなかった場合には（ステップＳ６８のＮＯ）、何もせずに、ステップＳ５０に戻り、上述した処理を繰り返す。
【００３８】
図７（ａ）〜（ｄ）は、本第１実施形態での一連の動作を説明するための概念図である。まず、画像表示装置１で、表示パネル６２に所望する画像が表示されているものとする。外部端末装置１０では、例えば、画像を撮影し、撮影した画像の中から画像表示装置１に転送したい画像を選択して表示パネル１６２に表示させる。画像表示装置１の表示パネル６２と外部端末装置１０の表示パネル１６２とには、図７（ａ）に示すように、各々、画像Ｐ１、Ｐ２が表示されている。この状態で、外部端末装置１０のタッチパネル１６１を画像表示装置１のタッチパネル６１上の図示の位置、図示の方向で向き合うように近接（または接触）させる。画像表示装置１は、図７（ｂ）に示すように、外部端末装置１０の近接（または接触）を検出すると、その座標（位置、範囲、あるいは方向）を取得する。
【００３９】
画像表示装置１では、外部端末装置１０から送信された画像Ｐ２を受信し、図７（ｃ）に示すように、取得した座標（位置、範囲、あるいは方向）に応じて、自身の表示パネル６２に表示している画像Ｐ１上に表示する。また、このとき、外部端末装置１０から識別情報が送信されてきた場合には、図７（ｄ）に示すように、画像Ｐ２に対して該識別情報（例えば、「ａａａ」）に従って表示制御（額縁Ｐ３を付ける）を行う。その後、画像表示装置１において、保存操作が行われると、表示パネル６２に既に表示している画像Ｐ１と受信した画像Ｐ２とを結合（合成）し、記憶部７に保存する。
【００４０】
上述した第１実施形態によれば、画像表示装置１のタッチパネル６１により、外部端末装置１０のタッチパネル１６１の近接（または接触）を検出するとともに、画像表示装置１の表示パネル６２に対する、外部端末装置１０で表示されている画像の位置、範囲、あるいは方向を取得し、外部端末装置１０からの画像を、取得された位置、範囲、あるいは方向に基づいて、画像表示装置１の表示パネル６２に表示させるようにしたので、画像を表示している外部端末装置１０を画像表示装置１に近接、あるいは接触させるだけで、外部端末装置１０で表示されている画像を画像表示装置１に転送し、好きな位置、範囲、あるいは方向にスタンプ感覚で表示させることができる。
【００４１】
また、画像表示装置の表示パネル６２に既に画像が表示されていれば、外部端末装置１０で表示されている画像を画像表示装置１に転送し、表示パネル６２に既に表示されている画像の好きな位置、範囲、あるいは方向にスタンプ感覚で結合して表示させることができる。
【００４２】
Ｂ．第２実施形態
次に、本発明の第２実施形態について説明する。
本第２実施形態では、外部端末装置１０を画像表示装置１に近接（接触）させるのではなく、ユーザが画像表示装置１のタッチパネル６１上をタッチ操作（タップ操作）することで、外部端末装置１０の画像を挿入すべき位置、範囲、方向を指定することを特徴とする。従って、本第２実施形態では、外部端末装置１０は、タッチパネル１６１を備える必要はない。
【００４３】
Ｂ−１．第２実施形態の構成
図８（ａ）、（ｂ）は、本第２実施形態による画像表示システムを構成する画像表示装置１と外部端末装置１０との構成を示すブロック図である。図１（ａ）、（ｂ）に対応する部分には同一の符号を付けて説明を省略する。上述したように、本第２実施形態では、外部端末装置１０が、タッチパネル１６１を備えていない点が、第１実施形態の外部端末装置１０の構成と異なる。すなわち、本第２実施形態の外部端末装置１０は、タッチ表示部１６に替えてカラーＬＣＤや有機ＥＬ（Electro Luminescence）ディスプレイ、バックライトなどとその駆動回路とを含み、各種データや、撮像部１３によって撮像された画像や、動画を表示する表示部１８を備えている。
【００４４】
Ｂ−２．第２実施形態の動作
本第２実施形態による画像表示装置１のメインルーチンは、第１実施形態で説明した図４と同じであり、外部端末装置１０のメインルーチンも、第１実施形態で説明した図６と同じであるので説明を省略する。以下では、画像表示装置１の近接検出処理について説明する。
【００４５】
図９は、本第２実施形態による画像表示装置１の近接検出処理の動作を説明するためのフローチャートである。近接検出処理では、まず、近距離無線通信部４で外部端末装置１０の近接を検出したか否かを判断する（ステップＳ８０）。そして、外部端末装置１０の近接が検出されない場合には（ステップＳ８０のＮＯ）、そのまま何もせずに上述したメインルーチンに戻る。
【００４６】
一方、外部端末装置１０の近接が検出された場合には（ステップＳ８０のＹＥＳ）、近距離無線通信部４により、外部端末装置１０に識別情報、及び画像表示有無情報転送指示を送信する（ステップＳ８２）。次に、外部端末装置１０から識別情報、及び画像表示ありを受信したか否かを判断し（ステップＳ８４）、外部端末装置１０から識別情報、及び画像表示ありを受信しない場合には（ステップＳ８４のＮＯ）、そのまま何もせずに上述したメインルーチンに戻る。
【００４７】
一方、外部端末装置１０から識別情報、及び画像表示ありを受信した場合には（ステップＳ８４のＹＥＳ）、近距離無線通信部４により、外部端末装置１０に表示画像転送指示を送信する（ステップＳ８６）。次に、タッチパネル６１でのユーザのタッチ操作による座標を取得し（ステップＳ８８）、メインルーチンに戻る。
【００４８】
図１０は、本第２実施形態による一連の動作を説明するための概念図である。まず、画像表示装置１で、表示パネル６２に所望する画像Ｐ１が表示されているものとする。外部端末装置１０で、例えば、画像を撮影し、撮影した画像の中から画像表示装置１に転送したい画像Ｐ２を選択して表示パネル６２に表示させる。画像表示装置１の表示パネル６２と外部端末装置１０の表示パネル１６２とには、図１０に示すように、各々、画像Ｐ１、Ｐ２が表示されている。この状態で、ユーザは、外部端末装置１０を画像表示装置１の近傍に置き（近接）、タッチパネル６１へのタッチ操作ＴＰ１、ＴＰ２で、画像を挿入する位置、範囲、及び方向を指定する。画像表示装置１は、ユーザのタッチ操作ＴＰ１、ＴＰ２から、画像を挿入する座標を取得する。
【００４９】
画像表示装置１では、上述した第１実施形態と同様に、外部端末装置１０から送信される画像Ｐ２を受信し、取得した座標に応じて、自身の表示パネル６２に表示している画像Ｐ１上に表示する。その後、画像表示装置１において、保存操作が行われると、表示パネル６２に既に表示している画像Ｐ１と受信した画像Ｐ２とを結合（合成）し、記憶部７に保存する。なお、外部端末装置１０から識別情報が送信されてきた場合には、上述した第１実施形態と同様に、画像Ｐ２に対して該識別情報に従って表示制御を行う。
【００５０】
上述した第２実施形態によれば、画像表示装置１の表示パネル６２上に設けたタッチパネル６１に対するタッチ操作により当該画像表示装置１に対する外部端末装置１０で表示している画像の位置、範囲、あるいは方向を取得するようにしたので、画像表示装置１が備える、一般的なタッチパネル上で画像の位置、範囲、あるいは方向をタッチ操作するだけで、外部端末装置１０が表示している画像を画像表示装置１に転送し、好きな位置、範囲、あるいは方向にスタンプ感覚で表示させることができる。
【００５１】
Ｃ．第３実施形態
次に、本発明の第３実施形態について説明する。
本第３実施形態では、画像表示装置の備える表示部上に照度センサを更に備え、表示部に近接、あるいは接触した外部端末装置の備えるバックライトの明かりを照度センサにより検出することで、当該画像表示装置に対する外部端末装置の表示している画像の位置、範囲、あるいは方向を取得することを特徴とする。
【００５２】
Ｃ−１．第３実施形態の構成
図１１（ａ）、（ｂ）は、本第３実施形態による画像表示システムを構成する画像表示装置１と外部端末装置１０との構成を示すブロック図である。図１（ａ）、（ｂ）に対応する部分には同一の符号を付けて説明を省略する。上述したように、本第３実施形態では、画像表示装置１は、表示部８を備えている。該表示部８は、照度センサ８１、及び表示パネル８２を備えている。照度センサ８１は、一般的な照度センサであり、外部の明かりを検出する。本第３実施形態では、外部端末装置１０のバックライト１９２の明かりを検出することで、バックライト１９２が近接（接触）している座標（位置、範囲、あるいは方向）を取得するようになっている。表示パネル８２は、カラーＬＣＤや有機ＥＬ（Electro Luminescence）ディスプレイ、バックライトなどとその駆動回路とを含む。
【００５３】
また、外部端末装置１０は、表示部１９を備えている。該表示部１９は、表示パネル１９１、及びバックライト１９２を備えている。表示パネル１９１は、カラーＬＣＤや有機ＥＬ（Electro Luminescence）ディスプレイなどとその駆動回路とを含む。バックライト１９２は、透過型の表示パネル１９１を裏面から照らすことにより、表示パネル１９１での表示を実現する。
【００５４】
Ｃ−２．第３実施形態の動作
図１２は、本第３実施形態による画像表示装置１の近接検出処理の動作を説明するためのフローチャートである。近接検出処理では、まず、近接無線通信部４による近接無線通信で外部端末装置１０の近接を検出したか否かを判断する（ステップＳ９０）。そして、外部端末装置１０の近接が検出されない場合には（ステップＳ９０のＮＯ）、そのまま何もせずに上述したメインルーチンに戻る。
【００５５】
一方、外部端末装置１０の近接が検出された場合には（ステップＳ９０のＹＥＳ）、近距離無線通信部４により、外部端末装置１０に識別情報、及び画像表示有無情報転送指示を送信する（ステップＳ９２）。次に、外部端末装置１０から識別情報、及び画像表示ありを受信したか否かを判断し（ステップＳ９４）、外部端末装置１０から識別情報、及び画像表示ありを受信しない場合には（ステップＳ９４のＮＯ）、そのまま何もせずに上述したメインルーチンに戻る。
【００５６】
一方、外部端末装置１０から識別情報、及び画像表示ありを受信した場合には（ステップＳ９４のＹＥＳ）、近距離無線通信部４により、外部端末装置１０に表示画像転送指示を送信する（ステップＳ９６）。次に、表示部８に設けられた照度センサ８１により外部端末装置１０のバックライト１９２が近接（接触）している座標（位置、範囲、あるいは方向）を取得し（ステップＳ９８）、メインルーチンに戻る。
【００５７】
図１３は、本第３実施形態による一連の動作を説明するための概念図である。まず、画像表示装置１で、表示パネル８２に所望する画像Ｐ１が表示されているものとする。外部端末装置１０で、例えば、画像を撮影し、撮影した画像の中から画像表示装置１に転送したい画像（図示略）を選択して表示パネル１９１に表示させる。ユーザは、外部端末装置１０の表示部１９（バックライト１９２）を画像表示装置１の表示部８に設けられた照度センサ８１の前面に向かい合うように近接（あるいは接触）させる。画像表示装置１は、照度センサ８１により、外部端末装置１０の位置、範囲、及び方向を取得する。
【００５８】
画像表示装置１では、上述した第１実施形態と同様に、外部端末装置１０から送信される画像（図示略）を受信し、取得した座標に応じて、自身の表示パネル８２に表示している画像Ｐ１上に表示する。その後、画像表示装置１において、保存操作が行われると、表示パネル８２に既に表示している画像Ｐ１と受信した画像とを結合（合成）し、記憶部７に保存する。なお、外部端末装置１０から識別情報が送信されてきた場合には、上述した第１実施形態と同様に、受信した画像に対して該識別情報に従って表示制御を行う。
【００５９】
上述した第３実施形態によれば、画像表示装置１の表示パネル８２上に照度センサ８１を更に備え、表示パネル８２に近接、あるいは接触した外部端末装置１０の備えるバックライト１９２の明かりを照度センサ８１により検出することで、当該画像表示装置１に対する外部端末装置１０で表示している画像の位置、範囲、あるいは方向を取得するようにしたので、画像を表示している外部端末装置１０を一般的な照度センサ８１に近接、あるいは接触させるだけで、外部端末装置１０で表示している画像を画像表示装置１に転送し、好きな位置、範囲、あるいは方向にスタンプ感覚で表示させることができる。
【００６０】
Ｄ．第４実施形態
次に、本発明の第４実施形態について説明する。
Ｄ−１．第４実施形態の構成
本第４実施形態は、タッチパネル１６１を備えた外部端末装置１０で、タッチパネル６１を備えた画像表示装置１の近接（接触）を検出すると、画像表示装置１に表示中の画像を送信し、画像表示装置１のタッチパネル６１で、外部端末装置１０が近接、あるいは接触した位置、範囲、あるいは方向を検出し、検出結果に応じて受信した画像を表示させることを特徴とする。なお、第４実施形態の構成は、第１実施形態の図１と同様であるので説明を省略する。
【００６１】
Ｄ−２．第４実施形態の動作
図１４は、本第４実施形態による画像表示装置１の動作を説明するためのフローチャートである。画像表示装置１は、まず、近距離無線通信部４により外部端末装置１０から画像、及び識別情報を受信したか否かを判断する（ステップＳ１００）。そして、外部端末装置１０から画像、及び識別情報を受信した場合には（ステップＳ１００のＹＥＳ）、タッチパネル６１で外部端末装置１０のタッチパネル１６１が近接（接触）している座標を取得する（ステップＳ１０２）。次に、受信画像を取得した座標に基づいて表示パネル６２に表示する（ステップＳ１０４）。
【００６２】
次に、識別情報テーブル７１を参照し（ステップＳ１０６）、外部端末装置１０から上記取得した識別情報があるか否かを判断する（ステップＳ１０８）。そして、該当する識別情報がある場合には（ステップＳ１０８のＹＥＳ）、識別情報に応じた表示制御を行う（ステップＳ１１０）。例えば、識別情報が「ａａａ」であるならば、画像に額縁（フレーム）を付け、識別情報が「ｂｂｂ」であるならば、美肌処理を実行し、識別情報が「ｃｃｃ」であるならば、画像に対して影を付ける。その後、ステップＳ１００に戻る。また、該当する識別情報がない場合には（ステップＳ１０８のＮＯ）、何もせずにそのままステップＳ１００に戻る。
【００６３】
一方、外部端末装置１０から画像を受信していない場合には（ステップＳ１００のＮＯ）、保存操作が行われたか否かを判断する（ステップＳ１１２）。そして、保存操作が行われた場合には（ステップＳ１１２のＹＥＳ）、受信画像があるか否かを判断する（ステップＳ１１４）。そして、受信画像がある場合には（ステップＳ１１４のＹＥＳ）、表示パネル６２に既に表示している画像と受信画像とを結合し（ステップＳ１１６）、記憶部７に保存する画像保存処理を実行し（ステップＳ１１８）、ステップＳ１００に戻る。一方、受信画像がない場合には（ステップＳ１１４のＮＯ）、受信画像を結合することなく、表示パネル６２に既に表示している画像を記憶部７に保存する画像保存処理を実行し（ステップＳ１１８）、ステップＳ１００に戻る。
【００６４】
一方、保存操作がない場合には（ステップＳ１１２のＮＯ）、画像選択、スライドショー等のその他の操作があったか否かを判断し（ステップＳ１２０）、その他の操作があった場合には（ステップＳ１２０のＹＥＳ）、操作に応じた処理を実行し（ステップＳ１２２）、ステップＳ１００に戻る。また、その他の操作もない場合には（ステップＳ１２０のＮＯ）、何もせずに、ステップＳ１００に戻る。
【００６５】
図１５は、本第４実施形態による外部端末装置１０の動作を説明するためのフローチャートである。外部端末装置１０は、タッチパネル１６１で画像表示装置１のタッチパネル６１の近接（接触）を検出したか否かを判断する（ステップＳ１３０）。そして、画像表示装置１のタッチパネル６１の近接（接触）を検出した場合には（ステップＳ１３０のＹＥＳ）、表示パネル１６２に画像を表示中であるか否かを判断し、画像を表示中でない場合には（ステップＳ１３２のＮＯ）、ステップＳ１３０に戻る。一方、画像を表示中である場合には（ステップＳ１３２のＹＥＳ）、近距離無線通信部１４により表示中の画像、及び識別情報を、画像表示装置１に送信する（ステップＳ１３４）。その後、ステップＳ１３０に戻る。
【００６６】
一方、画像表示装置１のタッチパネル６１の近接（接触）を検出していない場合には（ステップＳ１３０のＮＯ）、画像表示操作があったか否かを判断する（ステップＳ１３６）。そして、画像表示操作があった場合には（ステップＳ１３６のＹＥＳ）、選択された画像を表示パネル１６２に表示する（ステップＳ１３８）。その後、ステップＳ１３０に戻る。
【００６７】
また、画像表示操作がなかった場合には（ステップＳ１３６のＮＯ）、画像撮影操作があったか否かを判断する（ステップＳ１４０）。そして、画像撮影操作があった場合には（ステップＳ１４０のＹＥＳ）、撮像部１３により画像を撮影する画像撮影処理を実行し（ステップＳ１４２）、撮影した画像を記憶部１７に保存する（ステップＳ１４４）。その後、ステップＳ１３０に戻る。
【００６８】
さらに、画像撮影操作がなかった場合には（ステップＳ１４０のＮＯ）、スライドショー等のその他の操作があったか否かを判断する（ステップＳ１４６）。そして、その他の操作があった場合には（ステップＳ１４６のＹＥＳ）、操作に応じた処理を実行し（ステップＳ１４８）、ステップＳ１３０に戻る。一方、その他の操作もなかった場合には（ステップＳ１４６のＮＯ）、何もせずに、ステップＳ１３０に戻り、上述した処理を繰り返す。
【００６９】
上述した第４実施形態によれば、外部端末装置１０のタッチパネル１６１により、画像表示装置１のタッチパネル６１への近接（接触）を検出するとともに、画像表示装置１のタッチパネル６１により、当該画像表示装置１の表示パネル６２に対する、外部端末装置１０で表示されている画像の位置、範囲、あるいは方向を取得し、外部端末装置１０からの画像を、取得された位置、範囲、あるいは方向に基づいて、画像表示装置１の表示パネル６２に表示させるようにしたので、画像を表示している外部端末装置１０を画像表示装置１に近接、あるいは接触させるだけで、外部端末装置１０で表示されている画像を画像表示装置１に転送し、好きな位置、範囲、あるいは方向にスタンプ感覚で表示させることができる。
【００７０】
なお、上述した第１〜第４実施形態においては、タッチパネル（静電容量方式）や、近接無線通信以外にも、近接センサ（光学的、磁気的なセンサなど）などで画像表示装置１と外部端末装置１０との近接（接触）を検出するようにしてもよい。
【００７１】
また、上述した第１〜第４実施形態において、画像表示装置１に転送される画像、外部端末装置１０に表示している画像は、インターネットなどのネットワーク上に設けられたサーバを介して転送するようにしてもよい。
【００７２】
また、上述した第１〜第４実施形態によれば、外部端末装置１０の近接、あるいは接触が検出された際に、外部端末装置１０に画像を表示されている場合に、外部端末装置１０が表示している画像を画像表示装置１に送信するようにしたことで、画像を表示していない外部端末装置１０の近接、あるいは接触を検出した際に無駄な指示処理を行わないようにすることができる。
【００７３】
また、第１または第４実施形態によれば、画像表示装置１の表示パネル６２上に設けたタッチパネル６１、あるいは外部端末装置１０の表示パネル１６２上に設けたタッチパネル１６１を用いて、外部端末装置１０の近接、あるいは接触を検出し、画像表示装置１のタッチパネル６１で、外部端末装置１０で表示している画像の位置、範囲、あるいは方向を取得するようにしたことで、一般的なタッチパネルを用いて、外部端末装置１０で表示している画像を画像表示装置１に転送し、好きな位置、範囲、あるいは方向にスタンプ感覚で表示させることができる。
【００７４】
また、上述した第１〜第４実施形態によれば、画像表示装置１に表示されている画像と外部端末装置１０から受信した画像とを結合して記録保存するようにしたことで、転送した画像を好きな位置に配置したオリジナルの画像を記録保存することができる。
【００７５】
また、上述した第１〜第４実施形態によれば、近接、あるいは接触が検出された外部端末装置１０から識別情報を更に取得し、該取得した識別情報に基づいて表示部への表示を制御するようにしたことで、額縁を付ける、美肌処理といった画像処理を外部端末装置１０の所有者に応じて行うことができる。
【００７６】
また、上述した第１〜第４実施形態によれば、画像表示装置１が備える表示パネル６２を、外部端末装置１０が備える表示パネル１６２よりも面積が広くなるよう構成したので、画像表示装置１の表示パネル６２の好きな位置、範囲、あるいは方向に外部端末装置１０で表示している画像を表示させることができる。
【００７７】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７８】
（付記１）
付記１に記載の発明は、画像を表示する表示部を備えた画像表示装置であって、外部端末装置の近接、あるいは接触を検出する検出手段と、前記検出手段により前記外部端末装置の近接、あるいは接触を検出した際に、該外部端末装置が表示している画像を取得する画像取得手段と、前記検出手段により前記外部端末装置の近接、あるいは接触を検出した際に、当該画像表示装置に対する前記外部端末装置が備える表示部に表示されている画像の位置、範囲、あるいは方向を取得する位置取得手段と、前記画像取得手段により取得された画像を、前記位置取得手段により取得された位置、範囲、あるいは方向に基づいて、当該画像表示装置が備える前記表示部に表示させる表示制御手段とを備えることを特徴とする画像表示装置である。
【００７９】
（付記２）
付記２に記載の発明は、前記表示制御手段は、前記画像取得手段により取得された画像を、前記位置取得手段により取得された位置、範囲、あるいは方向に対応する位置、範囲あるいは方向で、当該画像表示装置が備える前記表示部に既に表示されている画像と結合して表示させることを特徴とする付記１に記載の画像表示装置である。
【００８０】
（付記３）
付記３に記載の発明は、前記検出手段により前記外部端末装置の近接、あるいは接触が検出された際に、前記外部端末装置が備える表示部に画像が表示されているか否かを判別する判別手段を更に備え、前記画像取得手段は、前記判別手段により画像が表示されていると判別されていることを条件に、前記外部端末装置が備える前記表示部に表示されている画像を取得することを特徴とする付記１または２に記載の画像表示装置である。
【００８１】
（付記４）
付記４に記載の発明は、当該画像表示装置が備える前記表示部上に配設されたタッチパネルを更に備え、前記検出手段は、前記タッチパネルにより前記外部端末装置の近接、あるいは接触を検出し、前記位置取得手段は、前記タッチパネルに対する前記外部端末装置の近接、あるいは接触に基づいて、当該画像表示装置に対する前記外部端末装置が備える前記表示部に表示されている画像の位置、範囲、あるいは方向を取得することを特徴とする付記１乃至３のいずれかに記載の画像表示装置である。
【００８２】
（付記５）
付記５に記載の発明は、当該画像表示装置が備える前記表示部上に配設されたタッチパネルを更に備え、前記位置取得手段は、前記タッチパネルに対するユーザによるタッチ操作に基づいて、当該画像表示装置に対する前記外部端末装置が備える前記表示部に表示されている画像の位置、範囲、あるいは方向を取得することを特徴とする付記１乃至３のいずれかに記載の画像表示装置である。
【００８３】
（付記６）
付記６に記載の発明は、当該画像表示装置が備える前記表示部上に配設された照度センサを更に備え、前記位置取得手段は、当該画像表示装置の前記表示部に近接、あるいは接触した前記外部端末装置が備えるバックライトの明かりを前記照度センサにより検出することで、当該画像表示装置に対する前記外部端末装置が備える前記表示部に表示されている画像の位置、範囲、あるいは方向を取得することを特徴とする付記１乃至３のいずれかに記載の画像表示装置である。
【００８４】
（付記７）
付記７に記載の発明は、前記表示制御手段により当該画像表示装置が備える前記表示部に表示された前記外部端末装置からの画像を、当該画像表示装置が備える前記表示部に表示されている表示内容と結合して記録保存する記録保存手段を更に備えることを特徴とする付記１乃至６のいずれかに記載の画像表示装置である。
【００８５】
（付記８）
付記８に記載の発明は、前記検出手段により近接、あるいは接触が検出された外部端末装置から識別情報を取得する識別情報取得手段を更に備え、前記表示制御手段は、前記識別情報取得手段により取得された識別情報に基づいて、前記画像取得手段により取得された画像の当該画像表示装置が備える前記表示部への表示を制御することを特徴とする付記１乃至６のいずれかに記載の画像表示装置である。
【００８６】
（付記９）
付記９に記載の発明は、当該画像表示装置が備える前記表示部は、前記外部端末装置が備える前記表示部よりも面積が広いことを特徴とする付記１乃至６のいずれかに記載の画像表示装置である。
【００８７】
（付記１０）
付記１０に記載の発明は、画像表示装置と外部端末装置とからなる画像表示システムであって、前記画像表示装置は、画像を表示する第１表示部と、外部端末装置の近接、あるいは接触を検出する検出手段と、前記検出手段により前記外部端末装置の近接、あるいは接触を検出した際に、前記外部端末装置に表示されている画像を転送する指示を送信する指示送信手段と、前記検出手段により前記外部端末装置の近接、あるいは接触を検出した際に、当該画像表示装置に対する該外部端末装置に表示されている画像の位置、範囲、あるいは方向を取得する位置取得手段と、前記指示送信手段により送信された指示に対応して前記外部端末装置から転送される画像を受信する画像受信手段と、前記画像受信手段により受信された画像を、前記位置取得手段により取得された位置、範囲、あるいは方向に基づいて、前記第１表示部に表示させる表示制御手段とを備え、前記外部端末装置は、画像を表示する第２表示部と、前記画像表示装置から送信された画像転送指示を受信する指示受信手段と、前記指示受信手段により画像転送指示が受信された際に、前記第２表示部に表示している画像を前記画像表示装置に送信する画像送信手段とを備えることを特徴とする画像表示システムである。
【００８８】
（付記１１）
付記１１に記載の発明は、画像表示装置と外部端末装置とからなる画像表示システムであって、前記画像表示装置は、画像を表示する第１表示部と、前記外部端末装置から転送された画像を受信する画像受信手段と、前記画像受信手段により前記外部端末装置から転送された画像を受信した際に、当該画像表示装置に対する該外部端末装置に表示されている画像の位置、範囲、あるいは方向を取得する位置取得手段と、前記画像受信手段により受信された画像を、前記位置取得手段により取得された位置、範囲、あるいは方向に基づいて、前記第１表示部に表示させる表示制御手段とを備え、前記外部端末装置は、画像を表示する第２表示部と、前記画像表示装置の近接、あるいは接触を検出する検出手段と、前記検出手段により前記画像表示装置の近接、あるいは接触を検出した際に、前記第２表示部に表示している画像を前記画像表示装置に送信する画像送信手段とを備えることを特徴とする画像表示システムである。
【００８９】
（付記１２）
付記１１に記載の発明は、画像を表示する表示部を備えた画像表示装置のコンピュータに、外部端末装置の近接、あるいは接触を検出する検出機能、前記検出機能により前記外部端末装置の近接、あるいは接触を検出した際に、前記外部端末装置に表示されている画像を取得する画像取得機能、前記検出機能により前記外部端末装置の近接、あるいは接触を検出した際に、当該画像表示装置に対する前記外部端末装置に表示されている画像の位置、範囲、あるいは方向を取得する位置取得機能、前記画像取得機能により取得された画像を、前記位置取得機能により取得された位置、範囲、あるいは方向に基づいて、当該画像表示装置が備える前記表示部に表示させる表示制御機能を実行させることを特徴とするプログラムである。
【符号の説明】
【００９０】
１  画像表示装置
２  制御部
３  操作部
４  近距離無線通信部
５  電源部
６  タッチ表示部
６１  タッチパネル
６２  表示パネル
７  記憶部
７１  識別情報テーブル
１０  外部端末装置
１１  制御部
１２  操作部
１３  撮像部
１４  近距離無線通信部
１５  電源部
１６  タッチ表示部
１６１  タッチパネル
１６２  表示パネル
１７  記憶部
１８  表示部
８  表示部
８１  照度センサ
８２  表示パネル
１９  表示部
１９１  表示パネル
１９２  バックライト
【図１】
0005811495.tif 000002
【図２】
0005811495.tif 000003
【図３】
0005811495.tif 000004
【図４】
0005811495.tif 000005
【図５】
0005811495.tif 000006
【図６】
0005811495.tif 000007
【図７】
0005811495.tif 000008
【図８】
0005811495.tif 000009
【図９】
0005811495.tif 000010
【図１０】
0005811495.tif 000011
【図１１】
0005811495.tif 000012
【図１２】
0005811495.tif 000013
【図１３】
0005811495.tif 000014
【図１４】
0005811495.tif 000015
【図１５】
0005811495.tif 000016